(57)【要約】【課題】  キャプチャ画像などの画像データの印刷中に電源が切られたり、紙詰まりやインク切れ等のプリンタエラーが発生したりしたとき、画面に表示されたエラー画像が邪魔にならないようにすることができる画像表示装置および画像表示装置のエラー処理方法を提供する。【解決手段】  画面Ｇ６０１は、キャプチャ画像の印刷を実行したあと、テレビ画面Ｇ４に戻ってテレビ放送を見ているときに印刷エラーが発生した状態を示している。画面の右下には印刷エラーであることを示す簡易エラー画像６２を表示するとともに、簡易エラー画像６２を消去するか、又は、エラー詳細情報画像を表示するかを選択することが可能になっている。印刷エラーの対処を後回しにしたいときには、リモコンの「Exit」キーを選択することにより、簡易エラー画像６２を消去して画面Ｇ６０２の状態でテレビ放送を見ることが可能になる。【選択図】    図６
2005311586.tif 000002
【特許請求の範囲】
【請求項１】
テレビ放送を含む画像が表示される表示部と、
前記表示部に表示された前記画像の画像データを記憶させるメモリと、
前記メモリに記録された前記画像データを印刷するために用いられるプリンタにエラーが発生したとき、前記表示部に前記エラーが発生した旨を示すエラー画像を表示させる表示制御部と、
前記エラー画像を消去することをユーザに選択させる第１の選択手段と
を備え、
前記表示制御部は、前記第１の選択手段からの消去の指示に従って前記エラーの情報を保持した状態で前記表示部に表示された前記エラー画像を消去することを特徴とする画像表示装置。
【請求項２】
請求項１に記載の画像表示装置において、
前記エラー画像は簡易エラー画像であって、前記簡易エラー画像の消去をユーザに選択させる第１の選択手段と、エラー詳細情報画像の表示をユーザに選択させる第２の選択手段を備え、
前記表示制御部は、前記第１または前記第２の選択手段からの選択内容に応じた指示の処理を行うことを特徴とする画像表示装置。
【請求項３】
請求項２に記載の画像表示装置において、
前記表示制御部は、前記簡易エラー画像を前記表示部の中心部以外の所定エリアに表示することを特徴とする画像表示装置。
【請求項４】
請求項１〜３のいずれか一項に記載の画像表示装置において、
前記画像は、外部記憶装置から読み出した画像データに基づく画像を含むことを特徴とする画像表示装置。
【請求項５】
請求項１に記載の画像表示装置において、
前記画像表示装置の電源をオフするために用いられる電源スイッチであって、前記電源スイッチのオフ操作により前記表示部及び前記プリンタの両方の電源をオフする前記電源スイッチと、
前記電源スイッチをオフ操作したとき前記画像表示装置の電源を制御する電源制御部と
を有し、
前記表示制御部は、前記電源スイッチがオフ操作されたときに前記プリンタによる印刷処理中であると判断すると、印刷処理中である旨の警告画像を前記表示部に表示するとともに、前記電源制御部に前記画像表示装置の電源をオフさせない指示を与えることを特徴とする画像表示装置。
【請求項６】
請求項５に記載の画像表示装置において、
前記表示制御部は、前記エラー画像を消去した状態で前記電源スイッチをオフ操作されたとき前記エラーの情報を保持していれば、前記表示部に前記エラー画像を再表示させることを特徴とする画像表示装置。
【請求項７】
請求項５又は６に記載の画像表示装置において、
前記電源スイッチをオフ操作したときに、継続して印刷処理することを選択させる第３の選択手段と、前記画像表示装置の電源をオフすることを選択させる第４の選択手段を備え、
前記表示制御部は、前記第３または第４の選択手段からの選択内容に応じた指示の処理を行うことを特徴とする画像表示装置。
【請求項８】
請求項１に記載の画像表示装置において、
前記メモリに前記画像データが記録されている状態で前記画像表示装置の電源をオフするため電源スイッチをオフ操作したとき、前記画像表示装置の電源をオフすることを選択させる第５の選択手段と、オフしないことを選択させる第６の選択手段を備え、
前記表示制御部は、前記電源スイッチをオフ操作したとき前記メモリに前記画像データが蓄積されていることを示す警告画像を表示させるとともに、前記第５または６の選択手段からの選択内容に応じた指示の処理を行うことを特徴とする画像表示装置。
【請求項９】
請求項１〜８のいずれか一項に記載の画像表示装置において、
前記プリンタにエラーが発生したとき、前記エラーが発生した旨を示すエラー通知部を前記表示部とは別に備えることを特徴とする画像表示装置。
【請求項１０】
画像表示装置のエラー処理方法において、
（ａ）メモリに記憶された画像データを印刷するために用いられるプリンタにエラーが発生したか否かを判断する工程と、
（ｂ）前記エラーが発生した場合には、表示部に前記エラーが発生した旨を示すエラー画像を表示させる工程と、
（ｃ）前記エラー画像が表示されているときに、第１の選択手段からの指示があった場合には、前記表示部に表示された前記エラー画像を消去させる工程と
を備えることを特徴とする画像表示装置のエラー処理方法。
【発明の詳細な説明】
【技術分野】
【０００１】
本発明は、エラー表示機能を備えた画像表示装置および画像表示装置のエラー処理方法に関する。
【背景技術】
【０００２】
従来、テレビ放送などの画像のうち特定の画像を詳細に見たり保存したりするためにプリンタを接続させて、テレビ画面の画像をキャプチャして印刷することができる画像表示装置が知られている。このような画像表示装置では、ユーザは、画像を印刷しているときには、印刷設定画面からテレビ放送画面に切り替えて通常のテレビ放送を見ることができる。
しかし、印刷中に紙詰まりやインクがなくなる等の印刷エラーが発生したとき、ユーザは印刷エラーに気づかないまま、テレビ放送を見ていることがあった。そこで、印刷エラーが発生したとき、テレビ放送が表示された画面上に大きなダイアログボックスを表示させて、ユーザに印刷エラーであることを知らせる技術が開示されている（特許文献１）。
【０００３】
【特許文献１】特開２００３−２１９３５３号公報
【発明の開示】
【発明が解決しようとする課題】
【０００４】
しかしながら、上記従来の画像表示装置は、印刷エラーを知らせるダイアログボックスエラー画像が、印刷エラーを正常な状態に戻す対処をしない限り画面上に表示され続けている。ユーザが印刷エラーを解除する作業を後回しにして引き続きテレビ放送を見たいときでも、画面上に表示されていることにより邪魔になってしまうという問題があった。
【０００５】
本発明は、キャプチャ画像などの画像データの印刷中に電源が切られたり、紙詰まりやインク切れ等のプリンタエラーが発生したりしたとき、画面に表示されたエラー画像が邪魔にならないようにすることができる画像表示装置および画像表示装置のエラー処理方法を提供することにある。
【課題を解決するための手段】
【０００６】
上記問題を解決するために、本発明に係る画像表示装置は、テレビ放送を含む画像が表示される表示部と、前記表示部に表示された前記画像の画像データを記憶させるメモリと、前記メモリに記録された前記画像データを印刷するために用いられるプリンタにエラーが発生したとき、前記表示部に前記エラーが発生した旨を示すエラー画像を表示させる表示制御部と、前記エラー画像を消去することをユーザに選択させる第１の選択手段とを備え、前記表示制御部は、前記第１の選択手段からの消去の指示に従って前記エラーの情報を保持した状態で前記表示部に表示された前記エラー画像を消去する。
【０００７】
この構成によれば、印刷エラーが発生したときエラー画像を表示部に表示させるとともに、エラー画像の一時的な表示の消去が可能になっているので、印刷エラーの対応を後回しにしたいとき、邪魔にならずにテレビ放送を見ることが可能になる。
【０００８】
本発明に係る画像表示装置では、前記エラー画像は簡易エラー画像であって、前記簡易エラー画像の消去をユーザに選択させる第１の選択手段と、エラー詳細情報画像の表示をユーザに選択させる第２の選択手段を備え、前記表示制御部は、前記第１または前記第２の選択手段からの選択内容に応じた指示の処理を行うことが望ましい。
【０００９】
この構成によれば、印刷エラーが発生したとき、第１または第２の選択手段により、簡易エラー画像の消去とエラー詳細情報画像の表示のどちらかを選択することが可能になっているので、印刷エラーの対処を後回しにしたいときには簡易エラー画像を消去し、印刷エラーを対処したいときにはエラー詳細情報画像を表示させることが可能になる。
【００１０】
本発明に係る画像表示装置では、前記表示制御部は、前記簡易エラー画像を前記表示部の中心部以外の所定エリアに表示することが望ましい。
【００１１】
この構成によれば、簡易エラー画像を表示部の中心部以外の所定エリアに表示するので、テレビ放送を見るのに大きく邪魔になることを防止することができる。
【００１２】
本発明に係る画像表示装置では、前記画像は、外部記憶装置から読み出した画像データに基づく画像を含む。
【００１３】
この構成によれば、画像はテレビ放送の画像データに限らず外部記憶装置から読み出した画像データも含まれるので、幅広い画像データを印刷することが可能になる。
【００１４】
本発明に係る画像表示装置では、前記画像表示装置の電源をオフするために用いられる電源スイッチであって、前記電源スイッチのオフ操作により前記表示部及び前記プリンタの両方の電源をオフする前記電源スイッチと、前記電源スイッチをオフ操作したとき前記画像表示装置の電源を制御する電源制御部とを有し、前記表示制御部は、前記電源スイッチがオフ操作されたときに前記プリンタによる印刷処理中であると判断すると、印刷処理中である旨の警告画像を前記表示部に表示するとともに、前記電源制御部に前記画像表示装置の電源をオフさせない指示を与えることが望ましい。
【００１５】
この構成によれば、印刷処理中に電源スイッチをオフ操作すると警告画像を表示するとともに電源をオフさせないことから、誤って電源スイッチをオフ操作したときなどでも印刷処理を停止することなく最後まで行うことが可能になる。
【００１６】
本発明に係る画像表示装置では、前記表示制御部は、前記エラー画像を消去した状態で前記電源スイッチをオフ操作されたとき前記エラーの情報を保持していれば、前記表示部に前記エラー画像を再表示させることが望ましい。
【００１７】
この構成によれば、印刷エラーの対処を後回しにしてエラー画像を画面上から消去させた後、印刷エラーを対処していないことを忘れて電源スイッチをオフ操作したときでも電源をオフせずにエラー画像が再表示される。従って、電源を切る前に、印刷エラーを対処して印刷処理を続けることが可能になる。
【００１８】
本発明に係る画像表示装置では、前記電源スイッチをオフ操作したときに、継続して印刷処理することを選択させる第３の選択手段と、前記画像表示装置の電源をオフすることを選択させる第４の選択手段を備え、前記表示制御部は、前記第３または第４の選択手段からの選択内容に応じた指示の処理を行うことが望ましい。
【００１９】
この構成によれば、電源スイッチをオフ操作したときに、第３または第４の選択手段により、継続して印刷処理をするか、電源をオフするかのどちらかを選択することが可能になっているので、印刷を継続したいときには継続することができ、電源をオフさせたいときには印刷処理を停止して電源をオフすることが可能になる。
【００２０】
本発明に係る画像表示装置では、前記メモリに前記画像データが記録されている状態で前記画像表示装置の電源をオフするため電源スイッチをオフ操作したとき、前記画像表示装置の電源をオフすることを選択させる第５の選択手段と、オフしないことを選択させる第６の選択手段を備え、前記表示制御部は、前記電源スイッチをオフ操作したとき前記メモリに前記画像データが蓄積されていることを示す警告画像を表示させるとともに、前記第５または６の選択手段からの選択内容に応じた指示の処理を行うことが望ましい。
【００２１】
この構成によれば、電源をオフ操作したときに、メモリに画像データが蓄積されている警告画像を表示するとともに、第５または第６の選択手段により、電源をオフするか、オフしないのどちらかを選択することが可能になっているので、メモリに記録された画像データが消去されてもよければ電源をオフし、画像データを消去したくなければ電源をオフさせないことが可能になる。
【００２２】
本発明に係る画像表示装置では、前記プリンタにエラーが発生したとき、前記エラーが発生した旨を示すエラー通知部を前記表示部とは別に備えることが望ましい。
【００２３】
この構成によれば、表示部に表示されたエラー表示を消去した後でも、印刷エラーが発生してこることがエラー通知部に示されているので、印刷が完了しないまま電源をオフすることをなくすことが可能になり、使い勝手のよい画像表示装置を提供できる。
【００２４】
なお、本発明は、上記した装置発明の態様に限ることなく、方法発明として実現することも可能である。
【発明を実施するための最良の形態】
【００２５】
以下、本発明に係る画像表示装置であるリアプロジェクタの実施形態について図面を参照して説明する。
【００２６】
図１は、本実施形態のリアプロジェクタの構成を示す概略斜視図である。以下、本実施形態のリアプロジェクタ１の構成を、図１を参照しながら説明する。本実施形態のリアプロジェクタ１は、スタンド２と、本体３とを有する。
【００２７】
本体３は、外部記憶装置としてのメモリカードスロット１１と、表示部１２と、スピーカ１３と、プリンタ１４と、メイン電源スイッチ１５とを有する。
メモリカードスロット１１は、各種メモリカード（図示せず）を差し込むための差込口を有し、本体３の下方に設けられている。メモリカードスロット１１は、例えば、メモリカードの中に記憶された、デジタルカメラで撮影した画像データを読み出すために用いられる。
表示部１２は、テレビ放送の画像を表示したり、メモリカードスロット１１から読み出した画像データに基づく画像を表示したり、各種入力端子（図示せず）から入力した画像データに基づく画像を表示する。
スピーカ１３は、例えば、テレビ放送の音声を出力するために用いられる。スピーカ１３は、本体３の下方の左右に設けられ、ステレオ音声が出力される。
【００２８】
プリンタ１４は、例えば、テレビの画像を取り込んだキャプチャ画像や、メモリカードスロット１１から読み込んだ画像データ（例えば、デジタルカメラで撮った画像データ）を印刷するために用いられる。プリンタ１４の近傍には、プリンタ１４によって印刷しているときに印刷エラーが発生したことを知らせるためのエラー通知部としてのエラー表示ランプ１４ｂが備えられている。エラー表示ランプ１４ｂは、例えば、ＬＥＤ（発光ダイオード）によって構成される。
メイン電源スイッチ１５は、リアプロジェクタ１全体の電源を「ＯＮ／ＯＦＦ」するために用いられる。
【００２９】
図２は、リアプロジェクタの回路構成を示すブロック図である。以下、リアプロジェクタの回路構成を、図２を参照しながら説明する。リアプロジェクタ１は、アンテナ２１ａと、テレビチューナ２１と、メモリカードスロット１１と、電源制御部２２と、電源スイッチ１５と、表示装置２３と、プリンタ１４と、プリンタ監視部２４と、プリンタデータ送信制御部２６と、ＲＯＭ２５ａと、ＲＡＭ２５ｂと、音声出力制御部２７と、受信部２９とを有する。テレビチューナ２１と、メモリカードスロット１１と、電源制御部２２と、表示装置２３と、プリンタ１４と、プリンタ監視部２４と、プリンタデータ送信制御部２６と、ＲＯＭ２５ａと、ＲＡＭ２５ｂと、音声出力制御部２７と、受信部２９とは、バス２０によって互いに接続されている。
【００３０】
テレビチューナ２１は、例えば、地上波テレビ放送信号を受信するために用いられる。テレビチューナ２１には、前記信号を受信するために、アンテナ（ＶＨＦ／ＵＨＦ）２１ａが接続されている。なお、テレビ放送は、アンテナ２１ａを用いて受信する方法に限らず、テレビ放送用のケーブルを用いて受信するようにしてもよい。
【００３１】
メモリカードスロット１１は、メモリカードに記憶された画像データの読み出しを行っている。
電源制御部２２には、メイン電源スイッチ１５が接続されており、リアプロジェクタ１全体の電源とプリンタ１４の電源を「ＯＮ／ＯＦＦ」させるために用いられる。
【００３２】
表示装置２３は、表示制御部２３ａと、表示部１２とを有する。
表示制御部２３ａは、受信したテレビ放送やメモリカードから読み出した画像信号に、その信号に応じた画像処理を施し、表示データへの変換を行う。変換した画像データは、ガンマ補正等の画像処理が施される。更に、表示制御部２３ａは、表示部１２に表示されたテレビ画面の画像をキャプチャ画像として取り込むときに、１フレーム分の画像データをＲＡＭ２５ｂに書き込む。
また、表示制御部２３ａは、表示部１２に表示するための画像データをＲＡＭ２５ｂまたはメモリカードスロット１１から読み出して画像処理を施す。ＲＯＭ２５ａには、例えばＯＳＤ（On Screen Display）表示のデータや、ダイアログボックスのデータが記憶されており、各データは、プリンタ１４にエラーが発生したときなど、必要時にＲＯＭ２５ａから読み出され、表示制御部２３ａが表示部１２に表示する。表示部１２は、液晶プロジェクタ表示部であり、それぞれ図示しないが、光源としてのランプ、液晶ライトバルブ、スクリーン等からなる。光源としてのランプから放たれた光が液晶ライトバルブを透過して画像を形成する。次に、前記画像を投射レンズで拡大して表示部１２のスクリーンの背面から投射して表示する。
また、表示制御部２３ａは、第１〜第６の選択手段として用いられるリモコン２８からの指示に従って表示部１２の画面からエラー画像（簡易エラー画像）を消去したり、さらに詳細エラー画像（エラー詳細情報画像）を表示させたりする。
【００３３】
プリンタ１４は、キャプチャ画像やメモリカードから読み込んだ画像データを印刷する。
プリンタ監視部２４は、プリンタ１４の印刷の状態を監視している。例えば、プリンタ監視部２４は、プリンタ１４の状態が「印刷中」か、「印刷待機中」か、「印刷エラー中」かの情報を定期的に取得している。
【００３４】
プリンタデータ送信制御部２６は、プリンタ監視部２４で監視したプリンタ１４の状態に応じて、画像データをプリンタ１４に送信する制御をしている。例えば、プリンタ１４が「印刷待機中」のとき、画像データをＲＡＭ２５ｂから読み出してプリンタ１４に送信する。プリンタ１４が「印刷中」および「印刷エラー中」のときは、印刷動作が行われている途中であるため、画像データをプリンタ１４に送信しない。
【００３５】
ＲＯＭ２５ａは、前述のＯＳＤ表示のデータなどの他、図示しないＣＰＵが実行するためのプログラムやデータなどが書き込まれている。
ＲＡＭ２５ｂは、前述のキャプチャ画像の一時記憶の他、図示しないＣＰＵのワークエリアなどとして使用される。
【００３６】
音声出力制御部２７は、例えば、テレビチューナ２１で受信した地上波テレビ受信信号の音声データをアンプを介してスピーカ１３に出力する。
【００３７】
リモコン２８に備えられた送信部２８ａは、リモコン２８で操作された各種コンマンド信号を受信部２９に送信する。受信部２９は、送信部２８ａから送信されたコマンド信号を受信する。受信したコマンド信号により、例えば、テレビ放送のチェンネルを切り替えたり、スピーカから出力される音量を上げたり下げたりする。また、リモコン２８は、選択手段として用いられ、各キーの操作を行うことにより、表示部１２に表示された選択画像における各種選択項目の選択を実行することが可能になっている。
【００３８】
なお、リアプロジェクタ１は、画像データをプリンタ１４によって印刷している間、テレビ放送に画面を切り替えて見ることが可能になっている。
【００３９】
図３は、リアプロジェクタの機能を操作するために用いられるリモコンを示す概略平面図である。以下、リモコン２８を、図３を参照しながら説明する。リモコン２８は、メインキー操作部３１と、方向キー操作部３２と、数字キー操作部３３とを有する。
【００４０】
メインキー操作部３１は、電源スイッチ（「Power」）３４と、「TV/Video」ボタン３１ａと、「Viewer」ボタン３１ｂと、「Freeze」ボタン３１ｃと、「Print」ボタン３１ｄと、「Zoom」ボタン３１ｅと、「Rotate」ボタン３１ｆと、「Menu」ボタン３１ｇと、「Exit」ボタン３１ｈとを有する。
電源スイッチ（「Power」）３４は、リアプロジェクタ１のメイン電源とプリンタ１４の電源を「ＯＮ／ＯＦＦ」するために用いられる。
「TV/Video」ボタン３１ａは、例えば、テレビ放送表示と、外部入力端子を介して入力したビデオの画像とを切り替えるために用いられる。
「Viewer」ボタン３１ｂは、メモリカードスロット１１から読み込んだ画像データを表示するために用いられる。
「Freeze」ボタン３１ｃは、例えば、表示部１２に表示されているテレビ放送の画像の取り込みを行うために用いられる。
「Print」ボタン３１ｄは、キャプチャ画像や、メモリカードから読み込んだ画像の印刷を行うために用いられる。
「Zoom」ボタン３１ｅは、表示部１２に表示されたキャプチャ画像などの拡大／縮小を行うために用いられる。拡大／縮小をさせるには、「＋」ボタン、「−」ボタンを操作することにより行う。
「Rotate」ボタン３１ｆは、表示された画像の回転を行うために用いられる。
「Menu」ボタン３１ｇは、リアプロジェクタ１の詳細設定等を行うメニュー画面の表示を行うために用いられる。
「Exit」ボタン３１ｈは、例えば、表示部１２に表示された画面から１つ前の画面に戻る操作を行うために用いられる。
方向キー操作部３２は、「Up」ボタン３２ａと、「Down」ボタン３２ｂと、「Right」ボタン３２ｃと、「Left」ボタン３２ｄと、「Enter」ボタン３２ｅとを有する。各ボタンは、表示部１２に表示された画像を選択したり、設定を選択したりするときに操作する。
数字キー操作部３３は、「１」〜「１２」までの数字ボタンを有する。数字ボタンは、テレビチャンネルを切り替えるときに用いられる。
リモコン２８の操作により、テレビ放送のチャンネル切り替え操作、テレビ画像の取り込み、画像データの印刷操作、メモリカードから取り込んだ画像表示などの操作がリアプロジェクタ１から離れた場所で行うことができる。
また、リモコン２８の各ボタンは、表示部１２に表示された選択画像における各種選択項目（表示ボタン等）の選択に用いられる。
【００４１】
図４は、キャプチャ画像を印刷するときの表示画面をステップ毎に示す図である。以下、キャプチャ画像Ｃ１を印刷するときの表示画面を、図４を参照しながら説明する。まず、画面Ｇ４０１では、表示部１２にテレビ画面Ｇ１を表示している状態を示している。
【００４２】
画面Ｇ４０２では、テレビ画面Ｇ１の画像をＲＡＭ２５ｂに取り込んだ状態を示している。まず、画面Ｇ４０１の状態で、取り込みたい画像のときに、ユーザは「Print」ボタン３１ｄ、又は、「Freeze」ボタン３１ｃを押す。前記ボタン３１ｄ又は３１ｃが押されることにより、表示制御部２３ａは、例えば、一定のフレーム数間隔をおいて連続した３つのフレームのキャプチャ画像Ｃ１〜Ｃ３をＲＡＭ２５ｂに一時記憶する。キャプチャ画像を取り込んだことにより、表示部１２は、テレビ画面Ｇ２と、ダイアログボックス４１とに分割表示される。分割されたテレビ画面Ｇ２は、例えば、縦横比１６：９から４：３に縮小されている。
ダイアログボックス４１は、キャプチャ画像Ｃ１を表示する「印刷画像選択」画面４２を有する。「印刷画像選択」画面４２は、取り込んだ３つのキャプチャ画像Ｃ１〜Ｃ３のうち１つを表示する印刷画像画面４３と、取り込んだキャプチャ画像Ｃ１〜Ｃ３を選択するための方向ボタン４３ａを有する。方向ボタン４３ａを操作することにより印刷したいキャプチャ画像（例えば、キャプチャ画像Ｃ１）を選択する。
【００４３】
画面Ｇ４０３では、選択したキャプチャ画像Ｃ１を印刷するために設定する「印刷設定」画面４４の状態を示している。まず、画面Ｇ４０２の状態で「Print」ボタン３１ｄを押すことにより「印刷設定」画面４４を表示する。次に、「印刷枚数設定」４５ａの印刷枚数を決定し、「印刷実行」を選択することにより選択したキャプチャ画像Ｃ１の印刷を実行する。
【００４４】
印刷実行を選択すると、表示部１２は、画面Ｇ４０３から画面Ｇ４０１に切り替わる。つまり、印刷を実行している間は、テレビ画面を見ていることが可能になっている。プリンタ１４は、「印刷設定」画面４４の表示が消えた状態であっても、キャプチャ画像Ｃ１の印刷処理を引き続き行っている。印刷が終了すると、プリンタ１４の排出口（図示しない）から印刷された用紙を排出する。
【００４５】
図５は、メモリカードから読み出した画像を印刷するときに表示される表示画面を示す。以下、メモリカードの画像を印刷するときの表示画面を、図５を参照しながら説明する。
【００４６】
画面Ｇ５０１は、メモリカードスロット１１から読み込んだ画像を小さく並べて表示したフォトビューワ画面５１を表示している。画面Ｇ５０１は、表示した複数の画像の中から、リモコン２８の方向ボタン３２ａ〜３２ｄを操作して印刷したい画像を選択している状態を示している。
また、画面Ｇ５０１の状態で、「Exit」ボタン３１ｈ又は「TV/Video」ボタン３１ａを押すことにより画面Ｇ５０２のテレビ画面Ｇ３の表示に切り替わり、テレビ放送を見ることが可能になっている。また、画面Ｇ５０２の状態で、「Viewer」ボタン３１ｂを押すことにより画面Ｇ５０１のフォトビューワ画面５１に戻すことが可能になっている。
【００４７】
画面Ｇ５０３は、印刷するために設定する「印刷設定」画面５３の状態を示している。まず、画面Ｇ５０１の状態で「Print」ボタン３１ｄを押すことにより、画面Ｇ５０３を表示する。表示部１２の右側には、選択した画像を拡大して表示している。表示部１２の左側には、「印刷設定」画面５３をダイアログボックス表示している。次に、「印刷枚数設定」５４ａの印刷枚数を決定し、「印刷実行」５４ｂを選択するか「Print」ボタン３１ｄを押すことにより画像Ｄ１の印刷を開始する。なお、「戻る」を選択すると、画面Ｇ５０１の状態に戻る。
【００４８】
「印刷実行」を選択すると、表示部１２の表示内容が、画面Ｇ５０３から画面Ｇ５０１に切り替わる。つまり、印刷を実行している間は、フォトビューワ画面５１や「TV/Video」ボタン３１ａを押してテレビ画面Ｇ３を見ることが可能になっている。プリンタ１４は、「印刷設定」画面５３の表示が消えた状態であっても、画像Ｄ１の印刷処理を引き続き行っている。印刷が終了すると、プリンタ１４の排出口（図示しない）から印刷された用紙を排出する。
【００４９】
図６は、印刷中に印刷エラーが発生したとき表示される表示画面を示す。以下、印刷エラーが発生したときの表示画面を、図６を参照しながら説明する。
【００５０】
図６の画面Ｇ６０１は、例えば、キャプチャ画像Ｃ１または画像Ｄ１の印刷を実行したあと、テレビ画面Ｇ４に戻ってテレビ放送を見ているときに印刷エラーが発生した状態を示している。印刷エラーが発生すると、表示部１２の右下に印刷エラーが発生したことを示す簡易エラー画像６２が、テレビ視聴中のユーザになるべく邪魔にならないように簡易的に表示される。また、印刷エラーが発生した場合には、エラー表示ランプ１４ｂ（図１参照）が点灯する。
画面Ｇ６０２は、画面Ｇ６０１で表示されている簡易エラー画像６２を消去した状態を示している。これは、第１の選択手段としての「Exit」ボタン３１ｈを押すことにより簡易エラー画像６２を消去する。
画面Ｇ６０３は、エラー詳細情報画像６３をダイアログボックス表示している状態を示している。これは、画面Ｇ６０１の状態で第２の選択手段である「Print」ボタン３１ｄを押すことによりエラー詳細情報画像６３の表示に切り替わる。「エラー解除」６４を選択すると、Ｇ６０４の画面に切り替わる。「戻る」を選択すると、画面Ｇ６０１の状態になる。
画面Ｇ６０４は、印刷エラーの状態を復帰させるための案内をする復帰案内画面６５をダイアログボックス表示している状態を示している。印刷エラーを対処したあと、「印刷再開」６６を選択すると印刷を開始して、画面Ｇ６０２に戻る。「印刷中止」６７を選択すると印刷処理を中止して、画面Ｇ６０２の状態でテレビ放送を見ることができる。また、印刷エラーに対処して解消された場合や、印刷を中止した場合には、エラー表示ランプ１４ｂ（図１参照）が消灯する。
以下、図７のフローチャートに従って印刷エラー対処手順を説明する。
【００５１】
図７は、印刷エラーが発生したときの対処の手順を示すフローチャートである。以下、印刷エラーの対処手順を、図６、図７を参照しながら説明する。まず、ステップＳ７０１において、例えば、キャプチャ画像Ｃ１および画像Ｄ１の印刷を開始する（画面Ｇ４０３、画面Ｇ５０３参照）。
【００５２】
ステップＳ７０２では、プリンタ１４による印刷中に印刷エラーが発生したか否かを判断する。印刷エラーが発生すれば、ステップＳ７０３に移行し、発生していなければ、ステップＳ７１３に移行する。
【００５３】
ステップＳ７０３では、印刷エラーが発生したことを示す簡易エラー画像６２を、表示部１２の右下の位置に表示する（画面Ｇ６０１参照）。
【００５４】
ステップＳ７０４では、「Exit」ボタン３１ｈが押されたか否かを判断する（画面Ｇ６０１参照）。「Exit」ボタン３１ｈが押されていれば、ステップＳ７０５に移行する。「Exit」ボタン３１ｈが押されていなければ、ステップＳ７０６に移行する。
【００５５】
ステップＳ７０５では、簡易エラー画像６２を消去する（画面Ｇ６０２参照）。ユーザは、印刷エラーの対処を後回しにして、テレビ画面Ｇ４を引き続き見ることを優先させたいときに、簡易エラー画像６２を表示部１２から消去する。
なお、印刷エラーが発生したとき、印刷エラーが解除されるまで、エラー表示ランプ１４ｂ（図１参照）が点灯している。これにより、簡易エラー画像６２を表示部１２から消去させても、印刷エラー状態であることがわかる。
【００５６】
ステップＳ７０６では、「Print」ボタン３１ｄが押されたか否かを判断する（画面Ｇ６０１参照）。「Print」ボタン３１ｄが押されていれば、ステップＳ７０７に移行する。「Print」ボタン３１ｄが押されていなければ、ステップＳ７０４に移行する。
なお、ステップＳ７０５において、簡易エラー画像６２を消去しても印刷エラー情報は保持された状態にあるので、再び「Print」ボタン３１ｄを押すことによりステップＳ７０７に移行する（画面Ｇ６０３参照）。また、ステップＳ７０７への移行は、「Print」ボタン３１ｄに限らず、他のボタンを押すことによって移行するようにしてもよい。
【００５７】
ステップＳ７０７では、エラー詳細情報画像６３を表示部１２の左側にダイアログボックス表示する（画面Ｇ６０３参照）。詳細情報としては、例えば、図６における画面Ｇ６０３では、印刷用紙がなくなった旨を表示している。
【００５８】
ステップＳ７０８では、「エラー解除」６４が選択されたか否かを判断する。選択されればステップＳ７０９に移行する。選択されなければ「エラー解除」６４が選択されるまでステップＳ７０８の状態を維持する。なお、このとき「戻る」ボタンが操作されると一つ前の画面Ｇ６０１に戻る。
【００５９】
ステップＳ７０９では、印刷エラーの状態を復帰させるための解除方法をダイアログボックス表示する（画面Ｇ６０４参照）。エラー解除方法としては、例えば、図６における画面Ｇ６０４では、プリンタ１４にプリント用紙がないためプリント用紙を補充する旨を表示している。
【００６０】
ステップＳ７１０では、「印刷再開」６６が選択されたか否かを判断する（画面Ｇ６０４参照）。「印刷再開」６６が選択されていれば、ステップＳ７１１に移行し、選択されていなければ、ステップＳ７１２に移行する。
【００６１】
ステップＳ７１１では、印刷エラーで停止していた印刷処理を再開する。印刷を再開させると表示部１２の画面は、画面Ｇ６０４から画面Ｇ６０２に移行し、テレビ画面を見る状態になる。
【００６２】
ステップＳ７１２では、印刷処理を中止するか否かを判断する（画面Ｇ６０４参照）。「印刷中止」６７が選択されれば、印刷処理を中止する。中止すると表示部１２の画面は、画面Ｇ６０４から画面Ｇ６０２に移行し、テレビ放送を見る状態になる。印刷を中止しなければ、ステップＳ７１０に移行する。
【００６３】
ステップＳ７１３では、印刷が終了したか否かを判断する。印刷が終了しなければ、ステップＳ７０２に移行し、プリンタ１４に印刷エラーが発生しているか監視する。印刷が終了すれば、印刷処理を終了する。
【００６４】
図８は、印刷処理中に誤って電源スイッチをオフ操作したときに表示される表示画面を示す。以下、印刷処理中に電源スイッチ（「Power」）３４又はメイン電源スイッチ１５をオフ操作したときの表示画面を、図８を参照しながら説明する。本実施形態では、電源スイッチ（「Power」）３４のオフ操作したときの表示画面について説明する。
【００６５】
画面Ｇ８０１は、表示部１２にテレビ画面Ｇ５を表示させてテレビ放送を観ている状態を示している。画面Ｇ８０１は、前述した、印刷エラーが発生したときに表示する簡易エラー画像６２を消去した状態である。
【００６６】
画面Ｇ８０２は、簡易エラー画像６２を消去した状態で、電源スイッチ（「Power」）３４をオフ操作したとき警告画像を含めたダイアログボックス８２が表示された状態を示している。
【００６７】
画面Ｇ８０３は、第３の選択手段である「いいえ」ボタン８６を選択し、印刷を継続して行い終了したときの状態を示している。印刷が終了すると表示部１２の右下の位置に「印刷終了」８３と表示される。なお、画面Ｇ８０２の状態で、第４の選択手段である「はい」ボタン８７を選択すると、その時点でリアプロジェクタ１の電源を「ＯＦＦ」する。
以下、図９のフローチャートに従って、印刷処理中に電源スイッチ（「Power」）３４をオフ操作したときの対処手順を説明する。
【００６８】
図９は、印刷処理中に電源スイッチをオフ操作したときの対処手順を示すフローチャートである。以下、印刷エラーの対処手順を、図８、図９を参照しながら説明する。まず、印刷処理中に印刷エラーが発生したあと、表示された簡易エラー画像６２を消去してテレビ画面Ｇ５を見ている（画面Ｇ８０１参照）。
【００６９】
ステップＳ９０１では、電源スイッチ（「Power」）３４をオフ操作する。
ステップＳ９１０では、印刷処理中であるか否かを判断する。印刷処理中であればステップＳ９０２に移行し、印刷処理中でなければステップＳ９０８に移行する。
【００７０】
ステップＳ９０２では、表示部１２に現在印刷中であることを示す警告画像をダイアログボックス８２で表示する。ダイアログボックス８２は、警告画像である「Now Printing」表示８４と、電源をＯＦＦするか否かの選択表示８５とを有する。
【００７１】
ステップＳ９０３では、強制的に電源をオフするか否かを判断する。印刷中に関わらず強制的に電源をオフするのであれば（「はい」）ステップＳ９０４に移行する。電源をオフしないのであれば（「いいえ」）ステップＳ９０５に移行する（画面Ｇ８０２参照）。
【００７２】
ステップＳ９０４では、印刷処理を終了する。印刷処理中に印刷エラーで停止している場合であっても、そのままの状態で印刷を終了し、電源制御部２２によってプリンタ１４の電源を「ＯＦＦ」する。また、印刷エラーでない印刷途中の状態であっても印刷を終了し、同様にプリンタ１４の電源を「ＯＦＦ」する。
【００７３】
ステップＳ９０５では、印刷処理を継続する。印刷エラーが発生している状態であれば、エラー解除するための対応を実施して印刷を再開する。
【００７４】
ステップＳ９０６では、印刷が終了したか否かを判断する。印刷が終了すれば、ステップＳ９０７に移行する。印刷が終了していないのであれば、ステップＳ９０３に移行する。
【００７５】
ステップＳ９０７では、印刷の終了を示す「印刷終了」８３を表示部１２の右下に表示する。ユーザは、「印刷終了」８３の表示により、印刷が終了したことを確認することができる。
【００７６】
ステップＳ９０８では、印刷の強制終了および印刷処理終了後に、リアプロジェクタ１の電源を「ＯＦＦ」する。
【００７７】
以上、図８および図９を参照しながら、印刷処理中に電源スイッチ３４をオフ操作したときの対処手順を説明したが、印刷処理中に限らず、ＲＡＭ２５ｂにキャプチャ画像が記憶された状態で電源スイッチ３４をオフ操作したときでも、警告画像が表示されて、すぐには電源がオフされないようになっている。この場合、図８の画面Ｇ８０２に示される「Now Printing」表示８４が、キャプチャ画像を記憶している旨を示す警告表示に変わり、電源をオフする又はしないことを選択させる選択表示８５が同様に表示される。よって、印刷していないキャプチャ画像がすぐには消去されず、その時点でキャプチャ画像を印刷するか否かを選択させることが可能になっている。印刷したい時は印刷するステップに移行し、印刷しないのであれば電源を「ＯＦＦ」する。
【００７８】
以上詳述したように、本実施形態によれば、以下に示す効果が得られる。
（１）本実施形態によれば、印刷中に印刷エラーが発生したとき、印刷エラーであることを示す簡易エラー画像６２を表示部１２の右下の位置に表示させるとともに、簡易エラー画像６２を一時的に消去させることが可能になっている。よって、印刷エラーの発生を認識しやすいうえに、印刷エラーの対処を後回しにして、引き続きテレビ放送を見たいときは、簡易エラー画像６２の表示を消去することにより、邪魔にならずにテレビ放送を見ることができる。一方、印刷エラーが発生した場合には、エラー表示ランプ１４ｂも合わせて点灯する。よって、簡易エラー画像６２を消去した後でも、印刷エラーが発生している状態であることを認識できる。
（２）本実施形態によれば、印刷中に誤って電源スイッチ（「Power」）３４をオフ操作したとき、表示部１２に印刷中である警告画像を表示させるとともに、電源を「はい」ボタン８７、又は、「いいえ」ボタン８６のどちらかを選択することが可能になっているので、印刷を中止することなく最後まで実行することができる。
（３）本実施形態によれば、ＲＡＭ２５ｂにキャプチャ画像Ｃ１が蓄積されている状態で電源スイッチ３４をオフ操作したとき、表示部１２に警告画像を表示させるとともに、電源をオフさせるか否かを選択することが可能になっている。よって、すぐには電源が「ＯＦＦ」されず、必要なキャプチャ画像が消去されることなく印刷することができる。
【００７９】
なお、本実施形態は上記に限定されず、以下のような形態で実施することもできる。
（変形例１）前記実施形態では、印刷処理中に電源スイッチ（「Power」）３４をオフ操作すると、表示部１２にダイアログボックス８２を表示させて、印刷中であることを知らせる警告画像と、電源をオフにするか否かの選択表示をさせて、ユーザが選択できるようにしていた。これを、印刷処理中に電源スイッチ（「Power」）３４をオフ操作しようとすると、図１０に示されるように、表示部１２の右下に「Now Printing」１０１という警告画像が表示されて、電源をオフしないようにしてもよい。画面Ｇ１００１は、印刷処理中にテレビ画面Ｇ１０を見ている状態を示している。画面Ｇ１００２は、電源スイッチ（「Power」）３４をオフ操作したときの警告画像を示している。画面Ｇ１００３は、印刷が終了した状態を示している。この場合、印刷処理中は、「Now Printing」という警告画像が表示され、印刷が終了して一定時間経過後にリアプロジェクタ１の電源が切れるようになっている。
【００８０】
（変形例２）前記実施形態では、印刷エラーが発生したときに表示される簡易エラー画像６２を、「Exit」ボタン３１ｈを押すことによりテレビ画面Ｇ４に切り替えていた。これを、簡易エラー画像６２が表示されて一定時間経過したら、自動で表示を消去されるようにしてもよい。自動で消去された簡易エラー画像６２は、チャンネルの切り替えや、何かの切り替え操作のタイミングに合わせて、表示するようにしてもよい。
また、簡易エラー画像６２は、メニュー画面の中に、印刷エラーが発生したときユーザが表示を消去するか、自動で消去するかが選択できるようになっていてもよい。
また、簡易エラー画像６２は、画面上から表示を消去させたあと、一定の間隔をあけて定期的に表示するようにしてもよい。
【００８１】
（変形例３）前記実施形態では、印刷中に電源スイッチ（「Power」）３４をオフ操作したとき、急に印刷を停止させないようにしている。これを、リアプロジェクタ１の外部入力端子に、例えば、ＣＤ−Ｒ（Compact Disc Recordable）等を接続させてデータの受け渡しをしているときに、誤って電源スイッチ（「Power」）３４をオフ操作したときに、警告画像を表示させて電源を「ＯＦＦ」させないようにしてもよい。これによれば、ＣＤ−Ｒから読み出したデータを消去してしまうことを防止できる。
【００８２】
（変形例４）前記実施形態では、印刷中に電源スイッチ（「Power」）３４をオフ操作したとき警告画像が表示されて、電源が「ＯＦＦ」されないようにしている。これを、電源スイッチ（「Power」）３４をオフ操作すると表示装置２３の電源が「ＯＦＦ」し、プリンタ１４は印刷終了まで処理を行い、その後にプリンタ１４の電源を「ＯＦＦ」するようにしてもよい。
【００８３】
（変形例５）前記実施形態では、テレビ画面でテレビ放送を見ている状態で「Print」ボタン３１ｄ、又は、「Freeze」ボタン３１ｃを押すことにより、キャプチャ画像Ｃ１をＲＡＭ２５ｂに保存していた。これを、印刷エラー中であっても、ＲＡＭ２５ｂが一杯になるまではキャプチャ画像を保存できるようにしてもよい。
【００８４】
（変形例６）前記実施形態では、表示部１２はリアプロジェクタ１で構成されている。これを、例えばＣＲＴ（cathode ray tube）やプラズマディスプレイなど、他の表示要素で構成されていてもよい。
【図面の簡単な説明】
【００８５】
【図１】一実施形態における、リアプロジェクタの構成を示す概略斜視図。
【図２】リアプロジェクタの回路構成を示すブロック図。
【図３】リアプロジェクタのリモコンを示す概略平面図。
【図４】キャプチャ画像を印刷するときに表示される画面の状態を示す平面図。
【図５】メモリカードから読み出した画像を印刷するときに表示される画面の状態を示す平面図。
【図６】印刷エラーが発生したときに表示される画面の状態を示す平面図。
【図７】印刷エラーが発生したときの手順を示すフローチャート。
【図８】印刷処理中に電源「ＯＦＦ」したときに表示される画面の状態を示す平面図。
【図９】印刷処理中に電源「ＯＦＦ」したときの手順を示すフローチャート。
【図１０】印刷処理中に電源「ＯＦＦ」したときに表示される画面の状態の変形例を示す平面図。
【符号の説明】
【００８６】
１…画像表示装置としてのリアプロジェクタ、１２…表示部、１４…プリンタ、２３…表示装置、２３ａ…表示制御部、２５ａ…ＲＯＭ、２５ｂ…ＲＡＭ、３１ｄ…「Print」キー、３１ｈ…「Exit」キー、６２…簡易エラー画像、６３，６５…ダイアログボックス。
【図１】
2005311586.tif 000003
【図２】
2005311586.tif 000004
【図３】
2005311586.tif 000005
【図４】
2005311586.tif 000006
【図５】
2005311586.tif 000007
【図６】
2005311586.tif 000008
【図７】
2005311586.tif 000009
【図８】
2005311586.tif 000010
【図９】
2005311586.tif 000011
【図１０】
2005311586.tif 000012